(57)【要約】【課題】簡易な構成であって開口部が大きく、湿った台や濡れた棚等に乗せても収容物が湿ったり濡れたりすることがなく輸送、陳列及び家庭での保管に優れ、かつ保形性の高い底面に継ぎ目のないガセット袋を提供する。【解決手段】前後一対の正面部と、これらの正面部の内側に折り込み可能な左右一対の側面折込部とを備え、自立させた状態で上端取り出し口を開口して収容物を取り出し可能にしたガセット袋であって、前記ガセット袋が開口側部材と底部側部材とからなり、前記開口側部材と前記底部側部材とが前記正面部と前記側面折込部の途中領域で接合されてなる底面に継ぎ目のないガセット袋である。【選択図】図１
2008133002.tif 000002
【特許請求の範囲】
【請求項１】
前後一対の正面部と、これらの正面部の内側に折り込み可能な左右一対の側面折込部とを備え、自立させた状態で上端取り出し口を開口して収容物を取り出し可能にしたガセット袋であって、前記ガセット袋が開口側部材と底部側部材とからなり、前記開口側部材と前記底部側部材とが前記正面部と前記側面折込部の途中領域で接合されてなる底面に継ぎ目のないガセット袋。
【請求項２】
前記側面折込部の途中領域で接合された前記開口側部材の端部と前記底部側部材の端部とが、略水平方向に延在する第一の張出し片を形成してなる請求項１に記載のガセット袋。
【請求項３】
前記正面部の途中領域で接合された前記開口側部材の端部と前記底部側部材の端部とが、略水平方向に延在する第二の張出し片を形成してなる請求項１又は２に記載のガセット袋。
【請求項４】
前記第一の張出し片と前記第二の張出し片との高さが異なる請求項３に記載のガセット袋。
【請求項５】
前記側面折込部の前記底部側部材を水平方向内側に折り畳み、前記側面折込部の前記開口側部材を前記正面部の内側に折り込み、かつ前記開口側部材を水平方向に折り畳むことにより平面状となる請求項１〜４のいずれかに記載のガセット袋。
【請求項６】
前記開口側部材と前記底部側部材の材質が異なる請求項１〜５のいずれかに記載のガセット袋。
【発明の詳細な説明】
【技術分野】
【０００１】
本発明は、食品、洗剤、化粧品又はトイレタリー品等の、粉体、粒体又は液体を収容するガセット袋に関し、特に、濡れた場所での保管性に優れる底面に継ぎ目のないガセット袋に関する。
【背景技術】
【０００２】
ガセット袋は、一枚又は複数枚のシート材料から形成される、前後一対の正面部と、これらの正面部の内側に折り込み可能な左右一対の側面折り込み部とを備える袋であって、側面折り込み部を折り込んで平坦に折り畳まれている状態から、開口部付近の折り込み部分を開いて矩形形状の上端開口を形成し、この上端開口から内部に種々の収容物を収容できるようになっている。
【０００３】
これらのガセット袋は、例えば粉状又は粒状の食品や洗剤等を収容物として収容した状態で製品化され、側面折り込み部の折り込みや開放によって上端取出し口の開閉を行いつつ、洗剤等の収容物を繰り返し取り出して使用されている。従って、ガセット袋には、収容物を効率良く繰り返し取り出すことができると共に、取出し口部を容易且つ確実に閉塞して収容物を効果的に保存することが求められており、種々の提案がなされている。
例えば、特許文献１は、折り畳んだ状態では平坦で、胴の上部に開口部があってその開口部にチャックを備え、中身を入れることによって立体形状となったときに、袋が自立できるように底にのみガゼットを形成させる包装袋を提案している。
また、特許文献２は、ガセット袋の正面部と側面折り込み部とが連接する各立辺に沿って、縦長の線状部材挿入袋が形成されており、塑性変形可能な縦方向線状部材がこれらの線状部材挿入袋の取出し口部から胴部にかけて挿入配置されるガセット袋を提案している。
しかしながら、これらの提案は、いずれも収容物を効率良く繰り返し取り出すための取出し口部の開閉性を高めるものであり、底面に継ぎ目があるため、継ぎ目を形成するシート同士の融着が不十分な場合や、湿った台や濡れた棚に乗せた場合には継ぎ目から水分が浸入して収容物が湿ったり、濡れたりする問題があった。さらに、シート材料が紙等の浸透性フィルム層を含む積層フィルムの場合には、融着が不十分な場合に継ぎ目の端面から水が浸透し、浸透性フィルムから剥離する問題があった。
底面に継ぎ目を有しない包装袋は、例えば、特許文献３や、特許文献４において開示されているが、特許文献３において提案された包装袋は袋上面に設けた帯状開封予定部を破断削除して開封する袋であり開封後は保存性が悪く、特許文献４において提案された袋は開口部をジッパーで開閉すべく、ジッパー付き小袋を備えたプラスチック製袋であり構成が複雑であると共に開口部を大きくすることができなかった。
【０００４】
【特許文献１】特開２００３−１７５９４５号公報
【特許文献２】特開２００５−１０４５５９号公報
【特許文献３】特開２０００−３３５６３７号公報
【特許文献４】特開２００２−２３４５５２号公報
【発明の開示】
【発明が解決しようとする課題】
【０００５】
本発明は、簡易な構成であって開口部が大きく、湿った台や濡れた棚等に乗せても収容物が湿ったり濡れたりすることがなく、また、浸透性フィルムを含む積層フィルムを採用しても層間剥離をすることなく、輸送、陳列及び家庭での保管に優れ、かつ保形性の高い底面に継ぎ目のないガセット袋を提供することを課題とする。
【課題を解決するための手段】
【０００６】
本発明は、前後一対の正面部と、これらの正面部の内側に折り込み可能な左右一対の側面折込部とを備え、自立させた状態で上端取り出し口を開口して収容物を取り出し可能にしたガセット袋であって、前記ガセット袋が開口側部材と底部側部材とからなり、前記開口側部材と前記底部側部材とが前記正面部と前記側面折込部の途中領域で接合されてなる底面に継ぎ目のないガセット袋を提供するものである。
【発明の効果】
【０００７】
本発明により、簡易な構成であって開口部が大きく、湿った台や濡れた棚等に乗せても収容物が湿ったり濡れたりすることがなく輸送、陳列及び家庭での保管に優れ、かつ保形性の高い底面に継ぎ目のないガセット袋を提供することができる。
【発明を実施するための最良の形態】
【０００８】
本発明のガセット袋の実施の形態について、図面を参照して説明する。図１は、本発明のガセット袋の一実施態様を示す斜視模式図である。
図１に示す本発明のガセット袋１は、前後一対の正面部１０と、これらの正面部１０の内側に折り込み可能な左右一対の側面折込部２０とを備え、自立させた状態で開口部３２の上端取り出し口３３を開口して収容物を取り出し可能にしたガセット袋１であって、ガセット袋１が開口側部材３０と底部側部材４０とからなり、開口側部材３０と底部側部材４０とが正面部１０と側面折込部２０の途中領域で接合されてなり、底面に継ぎ目がない。
図１において、側面折込部２０の途中領域で接合された開口側部材の端部３１と底部側部材の端部４１（図示しない）とが、所望により配設される、略水平方向に延在する第一の張出し片５０を形成している。
そして、正面部１０の途中領域で接合された開口側部材の端部３１と底部側部材の端部４１（図示しない）とが、所望により配設される、略水平方向に延在する第二の張出し片６０を形成している。第一の張出し片５０と第二の張出し片６０との高さが異なるように配設されている。ここでは、第一の張出し片５０が第二の張出し片６０より高い位置に配設されている。
また、側面折り込み部２０内の、開口側部材３０における折込み中心線２１ａは略垂直方向に延び上端取り出し口３３に至っている。他方、底部側部材４０における折込み中心線２１ｂは略水平方向に延びており、正面部１０の内側に折り込まれる態様が異なる。
【０００９】
図２は、本発明の一実施態様であるガセット袋１の開口側部材３０を折り畳んだ状態の斜視模式図である。側面折込部２０の途中領域で接合された開口側部材の端部３１と底部側部材の端部４１（図示しない）とが略水平方向に延在する第一の張出し片５０を形成しているので、第一の張出し片５０がガセット袋１の立体形状（直方体形状、立方体形状等）を支え、開口側部材３０を折り畳んだ状態でも自立性があり、保形性が高く良好である。また、同様に、略水平方向に延在する第二の張出し片６０も自立性及び保形性を高めるのに役立っている。
図１及び図２には、ガセット袋１の開口側部材３０及び底部側部材４０に、それぞれ所望により配設される、１枚のシートを折り曲げて形成された第三の張出し片７０が設けられている。従って、第三の張出し片７０は継ぎ目にはならない。第三の張出し片７０を設けることによりガセット袋１の自立性及び保形性がさらに高まるので好ましい。
【００１０】
図３は、本発明の一実施態様であるガセット袋１の開口部３２を開いた状態の側面模式図である。図３に示されているように、本発明のガセット袋１は、開口部３２が大きいので、収容物の収納や取り出しに便利である。さらに、開口側部材３０を折り畳むことにより、収容物が脱出しないように封じることができ、輸送及び陳列時の保形性が良好で積層し易いばかりでなく、家庭での開封後の保管もし易い。特に、図１〜３により明らかなように、ガセット袋１の底面に継ぎ目がないので、湿った台や濡れた棚等に乗せても収容物が湿ったり濡れたりすることがなく、この点からも保管性に優れている。
【００１１】
図４は、本発明の一実施態様であるガセット袋１を平面状に折り畳んだ状態の側面模式図である。図４に示す本発明のガセット袋１は、その側面折込部２０の底部側部材４０を水平方向内側に折り畳み、側面折込部２０の開口側部材３０を正面部１０の内側に垂直方向に折り込み（即ち、折込み中心線２１ｂを内側に折込み）、かつ開口側部材３０を水平方向に折り畳むことにより平面状とすることができる。これにより、ガセット袋１がコンパクトに収まり、収容物を収納する前の保管性も良好となる。平面状とするとき、必要に応じ、前後一対の正面部１０にある第二の張出し片６０をそれぞれ反対方向である水平方向外側に引っ張ってもよい。
図４より明らかなように、ガセット袋１を平面状に折り畳むためには、第一の張出し片５０と第二の張出し片６０との高さが異なることが好ましい。
【００１２】
図５は、本発明のガセット袋１の展開図の一例を示す模式図である。図５は、開口側部材３０の外側から見た展開図及び底部側部材４０の底部外側（即ち、底部の下側）から見た展開図である。
図５において、「山折り」とは、展開図の外側に（即ち、ガセット袋１の外側に）折ることをいい、「谷折り」とは、展開図の内側（紙面の裏側）に（即ち、ガセット袋１の内側に）折ることをいう。
図６は本発明のガセット袋１の開口側部材３０と底部側部材４０とを接合する工程模式図である。図５に示すように、開口側部材３０のａとａ' とが接合され、開口側部材３０は山折り及び谷折りの指示に従い折り込まれ、図６に示すような形状となる。また、図５において、底部側部材４０の左右の部分は山折り及び谷折りの指示に従い折り込まれ、折り込まれた底部側部材４０は図６に示すような形状となる。その後、図６に示すような配置で、開口側部材３０のｂと折り込まれた底部側部材４０のｂ' とが接合され、開口側部材３０のｃと折り込まれた底部側部材４０のｃ' とが接合されてガセット袋１が完成する。
図５に示す展開図において、接合されるａ、ａ' 、ｂ、ｂ' 、ｃ及びｃ' 以外にもシール部が存在するのは、１枚のシートを折り曲げて形成する第三の張出し片７０を設けるためである。図５及び図６に示す折り込み線とは、必要に応じ谷折りする線をいう。
【００１３】
本発明において、第一の張出し片５０及び第二の張出し片６０は、２枚のシートを重ね合わせた縁部において所定幅の少なくとも基部を接合させた張出し片をいい、第三の張出し片７０は、１枚のシートを折り曲げた端部を所定幅で接合させた張出し片をいう。
本発明において張出し片５０、６０及び７０は、好ましくは２〜２０ｍｍ程度、更に好ましくは３〜１０ｍｍ程度の幅でガセット袋１の外側に形成される。
【００１４】
本発明のガセット袋１は、紙及び／又は合成樹脂の単層シートからなるものでもよいが、積層シートからなることが好ましい。積層シートとしては、アルミ箔層及び／又は紙層を含む多層シートが用いられており、好ましくは、最外層がポリエステル、中間層にアルミ箔層及び／又は紙層、最内層をポリエチレン層とする３層以上の多層シートを用いることが可能であって、例えば最外層である第１層がポリエステル、第２層がポリエチレン、第３層がアルミ箔又は紙、第４層がポリエチレン、最内層である第５層がシーラント層からなる５層構造の多層シート、又は最外層である第１層がポリエチレンテレフタレート、第２層がポリエチレン、第３層が紙、第４層がポリエチレン、第５層がアルミ箔、第６層がシーラント層からなる６層構造の多層シートを用いることができる。また多層シートにおけるアルミ箔層の厚さは、５〜５０μｍとすることが好ましく、５〜２０μｍとすることがさらに好ましい。紙層は、坪量２００g／ｍ2以下とすることが好ましくは、坪量１００g／ｍ2以下とすることがさらに好ましい。尚、紙層の坪量は１５g／ｍ2以上とすることが好ましい。積層シート材料としてアルミ箔層及び／又は紙層を含む多層シートを用いることにより、再封（リシール）する際の折り曲げ作業を容易にすることができ、さらに、袋にしわ等が発生し難くなってガセット袋１の外観を良好に保持することが可能になる。特に、アルミ箔層は防湿性が高いので、収容物の保管性、品質保全性に優れる。
【００１５】
また、本発明のガセット袋１は、開口側部材３０と底部側部材４０の材質が異なるものであることが好ましい。例えば、開口側部材３０に塑性変形性のあるアルミ箔層又は紙層を中間層とする上述の積層シートを用いて収容物の取り出し易さ及び上端取り出し口３３の繰り返し開閉性を高め、かつ底部側部材４０に低密度ポリエチレン（ＬＤＰＥ）、直鎖状低密度ポリエチレン（ＬＬＤＰＥ）、高密度ポリエチレン（ＨＤＰＥ）、無延伸ポリプロピレンフィルム（ＣＰＰ）等の合成樹脂のみからなる単層又は積層シートを用いることにより、ガセット袋１の強度、特に落下強度を高めると共に、耐水性を良好にして保存安定性を高め、ガセット袋１の開口部再封性と、耐水性及び強度向上とを低コストで両立できるので好ましい。特に、底部側部材４０の耐水性を向上することは、湿った台や濡れた棚に乗せたガセット袋１内の収容物が湿ったり濡れたりすることがなく長期保存されるために好ましい。
【００１６】
底部側部材４０に好適に用いられる合成樹脂のみからなる積層シートとしては、例えば最外層として、ポリエチレンテレフタレート（ＰＥＴ）、ナイロン（Ｎｙ）、セロハン（ＰＴ）、防湿セロハン（ＭＳＴ）、延伸ポリプロピレン（ＯＰＰ）等を用いることが可能で、最内層としては、ＬＤＰＥ、ＬＬＤＰＥ，中密度ポリエチレン（ＭＤＰＥ）、ＨＤＰＥ、ＣＰＰ、エチレン酢酸ビニル（ＥＶＡ）、アイオノマー樹脂等を用いることが可能で、中間層としては、ＰＥＴ、Ｎｙ、ポリプロピレン（ＰＰ、ＯＰＰ、ＣＰＰ）、ポリエチレン（ＰＥ、ＬＤＰＥ、ＬＬＤＰＥ、ＭＤＰＥ、ＨＤＰＥ）、ポリスチレン（ＰＳ）、ポリ塩化ビニル（ＰＶＣ）、ポリ塩化ビニリデン（ＰＶＤＣ）、エチレンビニルアルコール共重合体（ＥＶＯＨ）、ポリビニルアルコール共重合体（ＰＶＡ）、ポリカーボネート（ＰＣ）、ＥＶＡ、アイオノマー樹脂、ＰＴ、ＭＳＴ等の中から選択する１又は２以上の樹脂を用いることができる。例えば、最外層がポリエステル層、中間層がナイロン層、最内層がＬＬＤＰＥからなる３層構造の多層シートが挙げられる。
【産業上の利用可能性】
【００１７】
本発明のガセット袋は、食品（砂糖、小麦粉、塩、調味料、ペットフード等）、洗剤、ヘアケア製品、化粧品、トイレタリー品又は工業品（セメント、砂、堆肥、園芸用土壌等）等の各種粉体、粒体もしくは液体又はそれらの混合物、高粘性流動物あるいは固形物を収容するガセット袋として好適に用いられる。
【図面の簡単な説明】
【００１８】
【図１】本発明のガセット袋の一実施態様を示す斜視模式図である。
【図２】本発明のガセット袋の開口側部材を折り畳んだ状態の斜視模式図である。
【図３】本発明のガセット袋の開口部を開いた状態の側面模式図である。
【図４】本発明のガセット袋を平面状に折り畳んだ状態の側面模式図である。
【図５】本発明のガセット袋の展開図の一例を示す模式図である。
【図６】本発明のガセット袋の開口側部材と底部側部材とを接合する工程模式図である。
【符号の説明】
【００１９】
１：ガセット袋
１０：正面部
２０：側面折り込み部
２１ａ：折込み中心線
２１ｂ：折込み中心線
３０：開口側部材
３１：開口側部材の端部
３２：開口部
３３：上端取り出し口
４０：底部側部材
４１：底部側部材の端部
５０：第一の張出し片
６０：第二の張出し片
７０：第三の張出し片
【図１】
2008133002.tif 000003
【図２】
2008133002.tif 000004
【図３】
2008133002.tif 000005
【図４】
2008133002.tif 000006
【図５】
2008133002.tif 000007
【図６】
2008133002.tif 000008